(57)【特許請求の範囲】
【請求項１】
グループで店舗で飲食等をしてその費用を前記グループの各人から徴収した会費で支払い、剰余金を決済端末で計算して前記グループの各人にお釣りとして払い戻して割り勘により精算する精算システムにおいて、
前記決済端末に一体又は別体で接続された顧客側入力表示装置および店舗側入力表示装置を備え、前記決済端末は、前記顧客側入力表示装置から入力される前記徴収された全会費、前記グループの人数および前記グループの各人に返却されるお釣りの最小単位と前記店舗側入力表示装置から入力される前記費用とに基づき前記グループの各人へのお釣りおよび残金を計算して前記顧客側入力表示装置に表示することを特徴とする精算システム。
【請求項２】
グループで店舗で飲食等をしてその費用を前記グループの各人から徴収した会費で支払い、剰余金を決算端末で計算して前記グループの各人にお釣りとして払い戻して割り勘により精算する精算システムにおいて、
前記決済端末に一体又は別体で接続された顧客側入力表示装置および店舗側入力表示装置を備え、前記決済端末は、前記顧客側入力表示装置から入力される前記徴収された全会費および前記グループの人数と、前記店舗側入力表示装置から入力される前記費用とに基づき前記グループの各人に返却するお釣りの最小単位毎に前記グループの各人に返却するお釣りおよび残金を計算して前記顧客側入力表示装置に表示することを特徴とする精算システム。
【請求項３】
前記計算の結果、前記徴収された全会費に幾らかの金額を追加すると前記グループの各人に返却するお釣りが適当な整数になる場合には、前記金額を追加して前記お釣りを再計算することを特徴とする請求項１又は２に記載の精算システム。
【発明の詳細な説明】
【０００１】
【発明の属する技術分野】
本発明は精算システムに関し、特にグループ（複数の参加者）で予め会費を支払って宴会、パーティー、クラス会等の会食等を行い、その費用を所謂「割り勘」により精算する精算システムに関する。
【０００２】
【従来の技術】
上述の如き会費制（割り勘）の集まりは、一般に幹事が日時場所の設定、会場の予約、出席人数の確定、飲食物の選定、会費の徴収、精算等を行うのが一般的である。徴収した会費に剰余金が生じた場合には、この剰余金を人数で割り、１人当たりのお釣りを計算して返却することとなる。しかし、人数が多い場合（特に奇数の場合）には、１人当たりのお釣りの計算および計算した金額の返却には、一般に多くの小銭が必要となるので面倒である。
【０００３】
斯かる技術分野における又は関連する従来技術は、例えば特開２０００-１１２６３号公報の「割り勘支援装置および通信端末装置」、特開２００１-１５５２５７号公報の「代金決済システム」、特開平１１-２５３６０号公報の「電子式キャッシュレジスタ」および特開平１１-８６１３７号公報の「割り勘結果出力方式」等に開示されている。
【０００４】
上述した最初の従来技術は、費用の総額、精算を行うべき人数、均等に支払われるべき金額（端数を含まない）の候補および端数を計算可能にすることにより精算の手間を軽減可能にする割り勘支援装置を開示している。また、上述した最後の従来技術には、複数の人数のグループで飲食した客が割り勘形態で精算する際に１人当たりの金額を計算する手間を省きサービス向上を図る割り勘結果出力方式を開示している。即ち、店舗側で代金の合計金額を算出する際に、合計金額を人数で割った１人当たりの金額を自動的に計算し、レシートに合計金額と共に１人分の金額情報を付加する。
【０００５】
【発明が解決しようとする課題】
しかし、従来技術では、１人当たりの金額が計算できても、幹事又は代表者が各人から正確に料金を徴収し、又は予め徴収済みの会費から計算して剰余金を返却することは容易でないという課題があった。
【０００６】
【発明の目的】
本発明は、従来技術の上述した課題に鑑みなされたものであり、割り勘の料金を簡単且つ迅速に精算可能にする精算システムを提供することを目的とする。
【０００７】
【課題を解決するための手段】
前述の課題を解決するため、本発明による精算システムは次のような特徴的な構成を採用している。
【０００８】
（１）グループで店舗で飲食等をしてその費用を前記グループの各人から徴収した会費で支払い、剰余金を決済端末で計算して前記グループの各人にお釣りとして払い戻して割り勘により精算する精算システムにおいて、
前記決済端末に一体又は別体で接続された顧客側入力表示装置および店舗側入力表示装置を備え、前記決済端末は、前記顧客側入力表示装置から入力される前記徴収された全会費、前記グループの人数および前記グループの各人に返却されるお釣りの最小単位と前記店舗側入力表示装置から入力される前記費用とに基づき前記グループの各人へのお釣りおよび残金を計算して前記顧客側入力表示装置に表示する精算システム。
【０００９】
（２）グループで店舗で飲食等をしてその費用を前記グループの各人から徴収した会費で支払い、剰余金を決算端末で計算して前記グループの各人にお釣りとして払い戻して割り勘により精算する精算システムにおいて、
前記決済端末に一体又は別体で接続された顧客側入力表示装置および店舗側入力表示装置を備え、前記決済端末は、前記顧客側入力表示装置から入力される前記徴収された全会費および前記グループの人数と、前記店舗側入力表示装置から入力される前記費用とに基づき前記グループの各人に返却するお釣りの最小単位毎に前記グループの各人に返却するお釣りおよび残金を計算して前記顧客側入力表示装置に表示する精算システム。
【００１０】
（３）前記計算の結果、前記徴収された全会費に幾らかの金額を追加すると前記グループの各人に返却するお釣りが適当な整数になる場合には、前記金額を追加して前記お釣りを再計算する上記（１）又は（２）の精算システム。
【００１５】
【発明の実施の形態】
以下、本発明による精算システムの好適実施形態の構成および動作を、添付図面を参照して詳細に説明する。
【００１６】
先ず、図１は、本発明による精算システムの好適実施形態の構成を示すブロック図である。本発明による精算システム１０は、顧客側入力表示装置２０および決済端末３０により構成される。決済端末３０は、実際の精算を行うための装置である。顧客側入力表示装置２０は、顧客の決済端末３０の処理結果を顧客側に表示又は必要情報を入力するための装置である。
【００１７】
顧客側入力表示装置２０は、表示部２１および入力部２２により構成される。一方、決済端末３０は、決済処理部３１、伝票印刷部３２、入金・出金処理部３３および店舗側入力表示装置３４により構成される。そして店舗側入力表示部３４は、顧客側入力表示装置２０と同様に表示部３５および入力部３６により構成される。
【００１８】
顧客側入力表示装置２０において、表示部２１は、支払い代金やお釣りといった情報を表示する。また、入力部２２は、両替処理を行い、精算人数を入力する。一方、決済端末３０において、決済処理部３１は、基本処理部に相当する実際の精算処理を行う。伝票印刷部３２は、決済処理部３１による精算結果を印刷する。入金・出金処理部３３は、所謂キャッシュドロワ部に相当する。更に、店舗側入力表示装置３４は、店員が決済端末３０を操作するための装置であって、そこには顧客側入力表示装置２０と同様の表示部３５および入力部３６を有する。
【００１９】
次に、図２を参照して、図１に示す本発明による精算システム１０の動作を説明する。図２は、図１中の顧客側入力表示装置２０、決済端末３０および店舗側入力表示装置３４の動作（又は操作）を時系列的に示すシーケンス図である。
【００２０】
先ず、顧客は、注文伝票を店員に渡して精算要求し（ステップＳ１）、店員が受け付けた後に精算処理を開始する（ステップＳ２）。決済端末３０側では、伝票番号受付（ステップＳ３）および精算処理（ステップＳ４）を行い、受付データに基づき顧客に精算情報である合計金額（税金含む）を提示する（ステップＳ５）。更に、お釣りの分割（＝両替）が必要かを確認する（ステップＳ６）。
【００２１】
顧客側入力表示装置２０にて顧客が分割有無（割り勘精算か否か）を入力する（ステップＳ７）。分割が必要な場合（ステップＳ８）には、分割するための情報入力を促す。顧客による人数入力が行われると、決済端末３０では顧客側入力表示装置２０に対して人数確認、即ち人数の問い合わせを行う（ステップＳ９）。この人数確認問い合わせに対して、顧客側入力表示装置２０から人数（即ち、分割数）を入力する（ステップＳ１０）。これと同時に、分割金額の単位を入力する（ステップＳ１１）。これは、一般に合計金額が必ずしも人数で均等に分割できないため（即ち、余り又は端数が発生する）、どの紙幣／硬貨の単位までを分割し、残りは余りとして処理するかを確認する処理である。例えば、設定時には、１０００円、５００円、１００円、５０円又は１０円の如く選択可能である。一方、設定なしの場合には、１円単位となる。
【００２２】
その後、顧客は支払いを行う（ステップＳ１２）。店舗側入力表示装置３４は、顧客からの支払（徴収した会費の全額）を受け取り、決済端末３０に対して受取金を入力する（ステップＳ１３）。そして、決済端末３０は、顧客側入力表示装置２０に対してお釣り計算／表示を行う（ステップＳ１４）。同時に、店舗側入力表示装置３４にもお釣り計算／表示が行われる（ステップＳ１５）。
【００２３】
次に、予算オーバーの場合、即ち請求金額が徴収した金額を超える場合（ステップＳ１６）について説明する。決済端末３０は、顧客側入力表示装置２０に対して両替のための追加金額を一時的に要求する（ステップＳ１７）。これに対して、顧客は各人から適当な金額を徴収して最終的な追加支払いを行う（ステップＳ１８）。この追加支払を受けると、店舗側入力表示装置３４から決済端末３０に対して受取金の入力を行う（ステップＳ１９）。決済端末からは顧客側と店舗側に注文合計額／税金、顧客支払い金額、払戻金額合計（および硬貨紙幣毎の数量および分配時の数量）を顧客側入力表示装置２０および店舗側入力表示装置３４に対して提示する（ステップＳ２０／ステップＳ２１）。
【００２４】
その情報を受けて、決済端末３０は、お釣りの払出を行い（ステップＳ２２）、更に伝票を印刷する（ステップＳ２３）。そこで、店員は、印刷伝票およびお釣りを顧客に手渡す（ステップＳ２４）。その後、顧客側では領収伝票に記載された分配数量に基づき、各人に対してお釣りを分配することにより精算を完了する。
【００２５】
次に、図３を参照して、本発明の精算システムを具体例に基づき説明する。この特定例では、１７人のグループで、会費４０００円（合計６８０００円）を徴収して店舗で飲食した場合である。この店舗の請求金額が税込みで５６７００円であったとすると、１１３００円の剰余金が生じる。
【００２６】
そこで、決算端末３０により割り勘精算をする際に、この会費６８０００円の全額を決算端末３０に一旦入金する。そして、顧客は、顧客側入力表示装置２０の入力部２２を操作して、割り勘対象のグループ人数（＝１７）を入力する。これにより、決算端末３０は、お釣りおよび余りを計算して顧客側入力表示装置２０の表示部に、例えば図３に示す如く一覧表で計算結果を表示する。即ち、分割単位が５００円の場合には、１人当たりのお釣りは５００円であり、余りが２８００円である。分割単位が１００円の場合には、それぞれ６００円および１１００円である。分割単位が５０円の場合には、それぞれ６５０円および２５０円である。また、分割単位が１０円の場合には、それぞれ６６０円および８０円である。
【００２７】
この計算結果に基づいて、顧客は最適な分割単位を顧客側入力表示装置２０から入力して選択することにより、店員による店舗側入力表示装置３４からの指示で決算端末３０が伝票印刷し、各人にお釣りの返却を行い、余りがある場合には、幹事に余りを返却する。幹事は、返却された余りを負担した通信費等に充当するか、次回の会合のための繰越金とすることも可能である。
【００２８】
次に、本発明による精算システムの他の実施形態を説明する。上述した好適実施形態では、合計金額を単純に人数で均等分割する場合を想定した。しかし、お釣りの分割を受け付ける際に、単純な分割でなく、一部を除いて残りを分割する場合もありえるので、その場合を説明する。１例として、上司や先輩等が余分に会費を支払ってくれた場合等である。この場合には、残りを一括精算して釣銭を分配する。決済端末３０からは、人数情報のみではなく、支払金の一部払い情報も受け付けることにより対応する。
【００２９】
例えば、少しの追加金額の支払で、各人のお釣りが例えば５００円又は１０００円等の区切りのよい金額になる場合には、上述した上司又は先輩が負担し、お釣りを再度計算することも可能である。
【００３０】
以上、本発明による精算システムの実施形態の構成および動作を詳述した。しかし、斯かる実施形態は、本発明の単なる例示に過ぎず、何ら本発明を限定するものではないことに留意されたい。本発明の要旨を逸脱することなく、特定用途に応じて、種々の変形変更が可能であること、当業者には容易に理解できよう。
【００３１】
【発明の効果】
以上の説明から明らかな如く、本発明の精算システムによると、次の如き実用上の顕著な効果が得られる。第１に、店舗側の精算処理は、割り勘等による複数処理を必要としなくなることである。これにより顧客毎の処理時間の短縮および領収伝票コストが低減可能である。
【００３２】
第２に、お釣りの支払い時に両替も同時に行うことで、顧客からの個別両替を受け付ける必要がなくなり、決済端末の無駄な利用がなくなる。第３に、顧客側は、１回の決済処理で割り勘に相当するお釣りの分配が可能になるため、店舗側のサービスが向上する。
【図面の簡単な説明】
【図１】本発明による精算システムの好適実施形態のシステム構成図である。
【図２】図１に示す精算システムによる割り勘による精算作業のシーケンス図である。
【図３】本発明の精算システムの動作を説明するための具体例である。
【符号の説明】
１０  精算システム
２０  顧客側入力表示装置
２１、３５  表示部
２２、３６  入力部
３０  決済端末
３１  決済処理部
３２  伝票印刷部
３３  入金・出金処理部
３４  店舗側入力表示装置
【図１】
0003970698.tif 000002
【図２】
0003970698.tif 000003
【図３】
0003970698.tif 000004